(57)【要約】【課題】動力を使用することなく且つ良好な品質を確保した状態で多品種少量の袋詰め製品を製造し得るようにした袋体開口装置を提供する。【解決手段】回動可能な縦軸に取付けられた半円カム６及び袋体開口治具７を備えた揺動枠１と、袋体開口治具８を備えた固定枠４と、揺動枠１が回動する際に当接する半円カム６を略１８０度回転させる半円カム回転治具１０とを備え、揺動枠１が固定枠４に近接するよう回動する際には、半円カム６の回転により袋体開口治具７の袋体付着面を袋体開口治具８の袋体付着面に対向するよう回転させ、揺動枠１が固定枠４から離反するよう回動する際には、半円カム６の回転により袋体開口治具７の袋体付着面を袋体開口治具８の袋体付着面に対向しない側に向くよう回転させるように構成する。【選択図】図１
2007284075.tif 000002
【特許請求の範囲】
【請求項１】
枢支された軸体に取付けられたカム及び該軸体に取付けられた第一の袋体開口治具を備えた揺動枠と、袋体付着面が前記揺動枠側に向いた第二の袋体開口治具を備えた固定枠と、前記揺動枠が回動する際に当接する前記カムを略１８０度回転させるカム回転治具とを備え、前記揺動枠が固定枠に近接するよう回動する際には、前記カム回転治具に当接するカムの回転により軸体を介して第一の袋体開口治具の袋体付着面が第二の袋体開口治具の袋体付着面に対向するよう、第一の袋体開口治具を回転させ、前記揺動枠が固定枠から離反するよう回動する際には、前記カム回転治具に当接するカムの回転により軸体を介し第一の袋体開口治具の袋体付着面が第二の袋体開口治具の袋体付着面に対向しない側に向くよう、第一の袋体開口治具を回転させるように構成したことを特徴とする袋体開口装置。
【請求項２】
袋体が付着された第一の袋体開口治具が第二の袋体開口治具に所定位置まで近接するよう揺動枠が固定枠に向けて回動した際には、第一、第二の袋体開口治具に袋体が付着され、袋体が第一、第二の袋体開口治具に付着された状態で揺動枠が固定枠から離反するよう回動した際には、袋体が開口するよう構成されている請求項１に記載の袋体開口装置。
【発明の詳細な説明】
【技術分野】
【０００１】
本発明は袋体開口装置に関する。
【背景技術】
【０００２】
近年、多品種少量の袋詰め製品を製造することを要求されることがある。袋詰め製品の製造には、従来から包装装置が使用されており、包装装置には袋体開口装置が必要である。而して、従来の包装装置は少品種多量の袋詰め製品を製造するためのものが多いため、袋体開口装置で開口する袋体は種類も少なくて良い。しかるに、多品種少量生産の場合は、袋体の種類が種々であるため、従来の包装装置を使用する場合でも袋体に対応して、袋体開口装置の部品を交換したりする必要が生じ、従って、従来の包装装置をそのまま多品種少量の袋詰め製品の製造に適用することには無駄が多い。
【０００３】
このため、多品種少量の袋詰め製品を製造する包装装置において、この要請に適した袋体開口装置を提供することが検討されているが、多品種少量の袋詰め製品を製造する場合にも、袋体開口装置では、袋体の供給、開口等の一連の作業は、駆動装置を用い、動力を使用して機械部品を駆動することにより行なわれることが考えられる。
【０００４】
なお、多品種少量の袋詰め製品に適用できそうな袋体開口装置を用いた包装装置としては、特許文献１がある。特許文献１でも、袋体開口部での袋体の開口は動力を利用して駆動している。
【特許文献１】特開平９−２４２１号公報
【発明の開示】
【発明が解決しようとする課題】
【０００５】
しかし、従来は多品種少量の袋詰め製品に適した袋体開口装置はないうえ、装置の駆動は動力により行なっているため、省エネルギ上不利であり、又、動力により駆動される機械部品（例えば、ラックアンドピニオン）が摩擦により磨耗したような場合、磨耗粉は、充填物と共に開口部から袋内に侵入する虞があり、袋詰め製品の品質の悪化を招来する。
【０００６】
本発明は、上記実情に鑑み、動力を使用することなく且つ良好な品質を確保した状態で多品種少量の袋詰め製品を効率良く製造し得るようにした袋体開口装置を提供することを目的としてなしたものである。
【課題を解決するための手段】
【０００７】
本発明の袋体開口装置は、枢支された軸体に取付けられたカム及び該軸体に取付けられた第一の袋体開口治具を備えた揺動枠と、付着面が前記揺動枠側に向いた第二の袋体開口治具を備えた固定枠と、前記揺動枠が回動する際に当接する前記カムを略１８０度回転させるカム回転治具とを備え、前記揺動枠が固定枠に近接するよう回動する際には、前記カム回転治具に当接するカムの回転により軸体を介して第一の袋体開口治具の袋体付着面が第二の袋体開口治具の袋体付着面に対向するよう、第一の袋体開口治具を回転させ、前記揺動枠が固定枠から離反するよう回動する際には、前記カム回転治具に当接するカムの回転により軸体を介し第一の袋体開口治具の袋体付着面が第二の袋体開口治具の付着面に対向しない側に向くよう、第一の袋体開口治具を回転させるように構成したものである。
【０００８】
又、本発明の袋体開口装置は、袋体が付着された第一の袋体開口治具が第二の袋体開口治具に所定位置まで近接するよう揺動枠が固定枠に向けて回動した際には、第一、第二の袋体開口治具に袋体が付着され、袋体が第一、第二の袋体開口治具に付着された状態で揺動枠が固定枠から離反するよう回動した際には、袋体が開口するよう構成されているものである。
【発明の効果】
【０００９】
本発明の請求項１、２に記載の袋体開口装置によれば、袋体の材質、サイズ等の種類がある程度替っても、同一の装置で対応することが可能であるため、多品種少量生産の場合もコストをかけることなく容易に袋詰め作業を行なうことが可能となり、又、操作は作業員が手動で行なうことができるため、動力が不要で省エネルギに貢献でき、更に、機械部品の磨耗は殆どないため、袋体内に金属粉末等の異物が侵入することがなく、良好な品質を確保することができる等、種々の優れた効果を奏し得る。
【発明を実施するための最良の形態】
【００１０】
以下、本発明の実施の形態を添付図面を参照して説明する。
図１〜図７は本発明の実施の形態の一例である。図中、１は軸受２に回転可能に支持されている水平軸３に固設された、正面形状が逆Ｌ形状の揺動枠である。揺動枠１は垂線Ｌを基準として前方Ｆ及び後方Ｒへ揺動し得るようになっている。
【００１１】
４は揺動枠１が垂直状態から傾斜して前方Ｆへ来た際に当該揺動枠１が対向して位置するようにした、正面形状が逆Ｌ形状の固定枠である。固定枠４は垂直状態よりも、揺動枠１から離反する前方Ｆ側へ傾斜している。
【００１２】
揺動枠１の水平部材１ａの先端部には、水平部材１ａを上下に貫通するように回転可能な縦軸５が設けられており、縦軸５の上端には、半円カム６が取付けられている。又、縦軸５の下端には、ウレタンエラストマ等の粘着プラスチック製の袋体開口治具７が取付けられている。而して、揺動枠１が固定枠４から離反して後方Ｒ側へ所定角度の傾斜状態にある場合は、半円カム６の円弧状先端部は、水平部材１ａの固定枠４側の面よりも固定枠４側に突出しており、袋体開口治具７は、水平部材１ａの固定枠４から離反した面よりも固定枠４から離反する側へ突出している（図１、図３参照）。
【００１３】
固定枠４の水平部材４ａにおける先端部の揺動枠１側に向いた面には、ウレタンエラストマ等の粘着プラスチック製の袋体開口治具８が取付けられている。而して、袋体開口治具８の袋体付着面は揺動枠１側に向いている。
【００１４】
揺動枠１の揺動範囲の中間部には、揺動枠１の水平部材１ａ及び固定枠４の水平部材４ａの先端部側に位置するよう、枠体９が設置されており、枠体９には、揺動枠１の水平部材１ａにおける先端部側の面、すなわち、固定枠４の水平部材４ａにおける先端部側の面に、揺動枠１が揺動する際の半円カム６の揺動軌跡に沿うよう、ウレタンエラストマ等の粘着プラスチック製の半円カム回転治具１０が取付けられている。
【００１５】
揺動枠１が最も固定枠４から離反した位置における揺動枠１の近傍には、揺動枠１の傾斜角度に合わせて袋体収納容器１１が設けられている。袋体収納容器１１内には複数枚の袋体１３を収納し得るようになっており、揺動枠１が揺動して袋体収納容器１１に最も近接した場合には、袋体開口治具７の袋体付着面には、最上層の袋体１３が付着し得るようになっている。なお、図中、１２は揺動枠１を揺動させるための把手である。又、袋体収納容器１１に収納された袋体は、揺動枠１の傾斜角度と略等しい角度に傾斜し且つ上端側に開口が位置するように配置されている。
【００１６】
次に、上記図示例の作動を説明する。
袋詰め作業に際しては、揺動枠１は、例えば半円カム回転治具１０と袋体収納容器１１との間の中間位置に停止している。そこで、作業員は、把手１２を持って揺動枠１を図１の反時計方向Ｄ１へ回動させる。而して、揺動枠１が最も袋体収納容器１１に近接すると、揺動枠１に設けられている袋体開口治具７には、袋体収納容器１１に収納されている最上層の袋体１３が、当該袋体１３の上端部近傍において付着する。
【００１７】
袋体１３が揺動枠１の袋体開口治具７に付着したら、作業員は把手１２を持って揺動枠１を図１の時計方向Ｄ２へ回動させる。而して、揺動枠１が回動して、揺動枠１に設けてある半円カム６が半円カム回転治具１０に到達すると、半円カム６の半円カム回転治具１０に対向した径方向端部が半円カム回転治具１０に当接する（図７の仮想線イ参照）。
【００１８】
このため、更に揺動枠１を図１の時計方向Ｄ２へ回動させると、半円カム６は半円カム回転治具１０と接触している結果、半円カム６は摩擦により半円カム回転治具１０から回転力を受け、縦軸５と共に回転する。従って、半円カム６は徐々に位置を代え（図７の仮想線ロ参照）、半円カム回転治具１０の固定枠４側端部において、元の位置から略１８０度回転する（図７の仮想線ハ参照）。又、袋体開口治具７は縦軸５に取付けられているため、半円カム６が１８０度回転すると、袋体開口治具７も１８０度回転して、その袋体付着面は固定枠４側に向き、固定枠４に取付けられている袋体開口治具８の袋体付着面に向いた状態になる。
【００１９】
半円カム回転治具１０が図７の仮想線ハに示すように当初の位置から１８０度回転した後、更に揺動枠１を図１の時計方向へ回動させると、袋体１３は、袋体開口治具７に付着している面とは反対側の面において袋体開口治具８に付着する（図１、図３の揺動枠１の仮想線ニ参照）。
【００２０】
袋体１３の両面が袋体開口治具７，８の袋体付着面に付着したら、作業員は把手１２を介して揺動枠１を図１の反時計方向Ｄ１へ回動させる。この場合、袋体１３は袋体開口治具７，８の両方に付着しており、袋体開口治具７は反時計方向Ｄ１へ移動するが、袋体開口治具８は固定されているため、袋体１３の袋体開口治具７側は引っ張られ、その結果、袋体１３は開口する（図１の揺動枠１の仮想線ホ参照）。
【００２１】
袋体１３が所定の状態に開口したら作業員は、揺動枠１を停止させ、袋体１３内に内容物を充填する。袋体１３に内容物が充填されたら、作業員は内容物の充填された袋体１３を手で引っ張って袋体１３の袋体開口治具７，８から剥し、揺動枠１を図１の反時計方向Ｄ１へ回動させて次の袋体１３を袋体開口治具７に付着させ、次の袋詰め作業を行なう。揺動枠１が反時計方向Ｄ１へ回動する際には、半円カム６は半円カム回転治具１０に当接しながら揺動枠１と共に移動するため、揺動枠１が時計方向Ｄ１へ回動する場合とは反対方向へ１８０度回転する。このため、半円カム６及び袋体開口治具７は元の位置に戻る。
【００２２】
本図示例によれば、袋体の種類が替っても、同一の装置で袋体を開口することが可能であるため、多品種少量生産の場合もコストをかけることなく容易に袋詰め作業を行なうことが可能となり、又、操作は作業員が手動で行なうことができるため、動力が不要で省エネルギに貢献できる。更に、機械部品の磨耗は殆どないため、袋体内に金属粉末等の異物が侵入することがなく、良好な品質を確保することができる。
【００２３】
なお、本発明の袋体開口装置は、上記した実施の形態に限定されるものではなく、本発明の要旨を逸脱しない範囲内において種々変更を加え得ることは勿論である。
【図面の簡単な説明】
【００２４】
【図１】本発明の袋体開口装置の側面図である。
【図２】図１のＩＩ−ＩＩ方向矢視図である。
【図３】図２のＩＩＩ−ＩＩＩ方向矢視図である。
【図４】図１のＩＶ−ＩＶ方向矢視図である。
【図５】図４のＶ−Ｖ方向矢視図である。
【図６】図５のＶＩ−ＶＩ方向矢視図である。
【図７】本発明の袋体開口装置において、揺動枠に設けた半円カムが回転して向きを変えて行く状態を説明するための拡大平面図である。
【符号の説明】
【００２５】
１  揺動枠
４  固定枠
５  縦軸（軸体）
６  半円カム（カム）
７  袋体開口治具（第一の袋体開口治具）
８  袋体開口治具（第二の袋体開口治具）
９  枠体
１０  半円カム回転治具（カム回転治具）
１３  袋体
【図１】
2007284075.tif 000003
【図２】
2007284075.tif 000004
【図３】
2007284075.tif 000005
【図４】
2007284075.tif 000006
【図５】
2007284075.tif 000007
【図６】
2007284075.tif 000008
【図７】
2007284075.tif 000009